(57)【要約】      （修正有）【課題】固定支柱を構成する下部管体に上部管体を結合する際に、左右の揺れや容易に分離することを防止することができる組み立て家具用固定支柱の下部管体及び上部管体の連結構造を提供する。【解決手段】固定支柱を構成する下部管体２０に上部管体を結合する際に、左右の揺れや容易に分離することを防止することができる組み立て家具用固定支柱の下部管体及び上部管体の連結構造を実現するために、上部に小口径の挿入部１５が付加された下部管体２０と、挿入部１５に一体結合される上部管体から成り立つ筒状の固定支柱において、挿入部１５に垂直線上に切り取り長孔１４を形成する構造を特徴とする構成により実現した。【選択図】図１（ａ）
0003182831.tif 000002
【実用新案登録請求の範囲】
【請求項１】
上部に小口径の挿入部が付加された下部管体と、上記挿入部に一体結合される上部管体から成り立つ筒状の固定支柱において、上記挿入部に垂直線上に切り取り長孔を形成する構造で成り立つことを特徴とする組み立て家具用固定支柱の下部管体及び上部管体の連結構造。
【請求項２】
前記挿入部に形成された切り取り長孔は、２〜４個を選択的に形成する構造で成り立つことを特徴とする請求項１記載の組み立て家具用固定支柱の下部管体及び上部管体の連結構造。
【考案の詳細な説明】
【技術分野】
【０００１】
本考案は、組み立て家具用固定支柱の下部管体及び上部管体の連結構造に関するものであり、詳述すると、下部管体の上部に形成される挿入部の垂直線上に２〜４個の切り取り長孔を選択的に形成し、この切り取り長孔により側面外側に拡張され、上部管体の結合時に左右の揺れを防止することができる組み立て家具用固定支柱の下部管体及び上部管体の連結構造に関するものである。
【背景技術】
【０００２】
従来においては、一般家庭の狭い空間を効率的に活用するために、組み立て式家具が広く使われている。
これら組み立て式家具は固定支柱に棚やカゴまたはフックを一体に結合し、衣類や各種生活道具を保管する用途に利用されるものである。
これは、図５に例示したとおり、組み立て式家具において最も核心的な構成である固定支柱５０は、梱包や運搬を容易にするために下部管体２０及び上部管体３０を連結する構造として構成される。
上記固定支柱５０を構成する下部管体２０及び上部管体３０の結合は、下部管体２０の上部に形成された小口径の挿入部１５を利用するもので、これは上部管体３０に形成された中空部２５の内径と同一の直径として成り立つものである。
これは、挿入部１５を上部管体３０の下部に結合して使用するもので、これは挿入部１５の外径と上部管体３０を構成する中空部２５の内径とが同一の直径であるが故、左右へ揺れるだけでなく、容易に分離してしまうために、これの使用に相当な支障をもたらすことになる。
【考案の概要】
【考案が解決しようとする課題】
【０００３】
本考案は、上記のような諸般の問題点を勘案し提案するもので、本考案は固定支柱を構成する下部管体に上部管体を結合する際に、左右の揺れや容易に分離することを防止することができる組み立て家具用固定支柱の下部管体及び上部管体の連結構造を提供することに主目的がある。
【課題を解決するための手段】
【０００４】
上記の目的を達成するための本考案の全体的な構成は、上部に小口径の挿入部が付加された下部管体と、上記挿入部に一体結合される上部管体から成り立つ筒状の固定支柱において、上記挿入部に垂直線上に切り取り長孔を形成する構造として成り立つものである。
特に、上記挿入部に形成される切り取り長孔は、２〜４個を選択的に形成する構造を主要な特徴とする。
【考案の効果】
【０００５】
請求項１、２記載の考案によれば、上部に小口径の挿入部が付加された下部管体と、上記挿入部に一体結合される上部管体から成り立つ筒状の固定支柱において、上記挿入部に垂直線上に切り取り長孔（例えば２〜４個を選択的に形成する構造）を形成する構造で成り立つことを特徴とすることにより、挿入部の垂直線上に切り取り長孔を形成することで、切り取り長孔の外側面が外側に膨張することで直径が拡大し、これを上部管体に無理に挿し込む方式で結合され、上部管体の左右の揺れだけでなく、容易に分離することを防止できる組み立て家具用固定支柱の下部管体及び上部管体の連結構造を提供することができる。
【図面の簡単な説明】
【０００６】
【図１（ａ）】図１（ａ）は本考案の構成状態を例示した斜視図である。
【図１（ｂ）】図１（ｂ）は本考案の構成状態を例示した斜視図である。
【図１（ｃ）】図１（ｃ）は本考案の構成状態を例示した斜視図である。
【図２】図２は本考案の縦断面図である。
【図３】図３は本考案の平面図である。
【図４】図４は下部管体と上部管体を結合した状態を例示した拡大断面図である。
【図５】図５は従来の固定支柱の構造を例示した正面図である。
【考案を実施するための形態】
【０００７】
本考案は、固定支柱を構成する下部管体に上部管体を結合する際に、左右の揺れや容易に分離することを防止することができる組み立て家具用固定支柱の下部管体及び上部管体の連結構造を実現し提供するという目的を、上部に小口径の挿入部が付加された下部管体と、上記挿入部に一体結合される上部管体から成り立つ筒状の固定支柱において、上記挿入部に垂直線上に切り取り長孔を形成する構造で成り立つことを特徴とする構成により実現した。
【実施例】
【０００８】
以下、本考案の実施例に係る組み立て家具用固定支柱の下部管体及び上部管体の連結構造について図面を参照して詳細に説明する。
【０００９】
図１（ａ）、（ｂ）、（ｃ）は本考案の構成状態を例示した斜視図であり、図２は本考案の縦断面図、図３は本考案の平面図、図４は下部管体と上部管体を結合した状態を例示した拡大断面図である。
【００１０】
各図面に例示したとおり、本考案は組み立て式家具に広く使用されている固定支柱５０の構造を変更したものである。
すなわち、固定支柱５０を構成する鋼管の材質特性を考慮し提案されたもので、材質特性により、ある一部分を切り取ることで弾性により外側への膨張が起こり、直径が広がる点に着眼したものである。
すなわち、図１（ａ）、（ｂ）、（ｃ）で図示したとおり、固定支柱５０を構成する下部管体２０の上部に形成された小口径の挿入部１５の垂直線上に、２〜４の切り取り長孔１４を形成した構造で、上記切り取り長孔１４の幅は２〜３ｍｍである。
このように、狭幅の上記切り取り長孔１４を形成することで内側面１４ａが外側に膨張する。
【００１１】
このように膨張することで、切り取り長孔１４の間に形成される内側面１４ａは、外側に膨張し、図３で図示されたとおり挿入部１５の直径よりも大きく拡大する。
【００１２】
また、挿入部１５を構成する切り取り長孔１４の間に形成される内側面１４ａは、直径が拡大することの他、外側面に物理的な力が作用した場合、元の位置に復原しようとする伸縮性も加えて持つことになる。
【００１３】
これを上部管体３０に形成される中空部２５と結合することで、この結合時に挿入部１５の直径が膨張し、中空部２５の直径に比べて多少大きい直径であるために、無理に差し込む形態として結合が成り立つ。
【００１４】
このように挿入部１５の外側面に上部管体３０を結合すると、挿入部１５の垂直線上に形成された切り取り長孔１４により、外側に膨張力が作用することになる。
このような膨張力により、挿入部１５の外側面と中空部２５の内側面が緊密な接合が生まれるため、上部管体３０の左右の揺れを防止でき、また下部管体２０から上部管体３０が簡単に分離できてしまう短所を予防できるようになる。
【００１５】
上記のように説明した本考案の実施例で説明した構造によってのみ、具現できるものではなく、本考案の実施例の構成に対応する機能を実現する他の装置を通じた具現も可能であり、このような構成は前で説明した実施例の記載から、本考案が属する技術分野の専門家であれば容易に具現できるものであり、これもまた本考案の権利範囲に属するものである点は自明である。
【産業上の利用可能性】
【００１６】
本考案は、上述したような組み立て家具用固定支柱に適用する場合の他、これに類する支柱に関して広範に適用可能である。
【符号の説明】
【００１７】
１４  切り取り長孔
１５  挿入部
２０  下部管体
３０  上部管体
５０  固定支柱
【図１（ａ）】
0003182831.tif 000003
【図１（ｂ）】
0003182831.tif 000004
【図１（ｃ）】
0003182831.tif 000005
【図２】
0003182831.tif 000006
【図３】
0003182831.tif 000007
【図４】
0003182831.tif 000008
【図５】
0003182831.tif 000009